(57)【特許請求の範囲】
【請求項１】
検索サービス、メールサービスおよびブログサービスの少なくともいずれか一つのサービスを通信回線を介して接続された端末へ提供するサービス提供装置と、金融機関に開設済の口座に入金するまでの間一時的に資金を蓄える代理口座を管理する代理口座管理装置と、を備えた代理口座管理処理システムにおいて、
前記サービス提供装置は、
前記端末のユーザが前記サービスを受けるために必要なＩＤであって当該ユーザが指定するＩＤとパスワードとを含むログイン情報を前記端末から受信するログイン情報受信手段と、
前記ログイン情報を前記端末から受信した場合に、サービス提供画面を前記端末へ送信するサービス提供画面送信手段と、
前記端末のユーザが前記サービス提供画面から代理口座の開設要求を入力することによって送信される代理口座開設要求データを受信する代理口座開設要求受信手段と、
前記代理口座開設要求受信手段で受信した前記代理口座開設要求データを前記端末のユーザの前記ＩＤと共に前記代理口座管理装置へ送信する代理口座開設要求送信手段と、
を備え、
前記代理口座管理装置は、
前記代理口座の開設要求を前記端末のユーザが指定する前記ＩＤと共に前記サービス提供装置から受け付ける代理口座開設要求受付部と、
前記代理口座開設要求受付部により受け付けられた前記代理口座の開設要求に応じて、前記代理口座を開設する代理口座開設部と、
前記代理口座開設部により開設された前記代理口座を、前記ユーザの前記ＩＤと関連付けて記憶する代理口座データベースと、
前記ユーザの前記ＩＤに関連付けられた前記代理口座への処理要求を受け付ける代理口座処理要求受付部と、
前記代理口座処理要求受付部から前記処理要求を受け付けたことに応じて、前記代理口座への処理を行う代理口座処理部と、
を備え、
前記代理口座データベースは、前記代理口座処理部により行われた処理の内容を記憶することを特徴とする代理口座管理処理システム。
【請求項２】
前記サービス提供画面送信手段が送信する前記サービス提供画面には、前記端末のユーザによって選択されて前記代理口座の開設要求を行うリンクが設定されていることを特徴とする請求項１に記載の代理口座管理処理システム。
【請求項３】
前記代理口座処理要求受付部は、他のユーザによる、金融機関の現金自動預払機その他の処理の入力を受け付ける装置によって入力された前記処理要求を受け付けることを特徴とする請求項１又は２に記載の代理口座管理処理システム。
【請求項４】
前記代理口座処理要求受付部は、前記ユーザの前記ＩＤと関連付けられた前記代理口座から他の口座への処理要求を受け付け、
前記代理口座処理部は、前記代理口座処理要求受付部から前記処理要求を受け付けたことに応じて、前記代理口座から前記他の口座への処理を行うこと、
を特徴とする請求項１から３のいずれかに記載の代理口座管理処理システム。
【請求項５】
前記他の口座が、他のユーザのＩＤに関連付けられた代理口座であることを特徴とする請求項４記載の代理口座管理処理システム。
【請求項６】
前記他の口座が、前記ユーザ又は他のユーザの有する前記金融機関に開設済の口座であることを特徴とする請求項４記載の代理口座管理処理システム。
【請求項７】
前記処理が、振込処理又は振替処理であることを特徴とする請求項１から６のいずれかに記載の代理口座管理処理システム。
【請求項８】
前記代理口座データベースは、前記ユーザの有する前記金融機関に開設済の口座を前記ユーザの前記ＩＤと関連付けて記憶し、
前記代理口座処理部は、所定のタイミングが到来する毎に、前記代理口座の残高金額が一定金額以上あるか否かを判定し、当該代理口座の残高金額が一定金額以上ある場合に、当該代理口座の残高金額のうち一定金額を超える金額を、前記金融機関に開設済の口座へ振込処理を行うこと、
を特徴とする請求項１から７のいずれかに記載の代理口座管理処理システム。
【請求項９】
前記ユーザの前記ＩＤに関連付けられた前記代理口座に関する処理が行われたことに応じて、処理結果の通知を前記ユーザの端末に送信する処理結果通知部を備えることを特徴とする請求項１から８のいずれかに記載の代理口座管理処理システム。
【請求項１０】
検索サービス、メールサービスおよびブログサービスの少なくともいずれか一つのサービスを通信回線を介して接続された端末へ提供するサービス提供装置と、金融機関に開設済の口座に入金するまでの間一時的に資金を蓄える代理口座を管理する代理口座管理装置とによる決済方法であって、
前記サービス提供装置が、前記端末のユーザが前記サービスを受けるために必要なＩＤであって当該ユーザが指定するＩＤとパスワードとを含むログイン情報を前記端末から受信するステップと、
前記サービス提供装置が、前記ログイン情報を前記端末から受信した場合に、サービス提供画面を前記端末へ送信するステップと、
前記サービス提供装置が、前記端末のユーザが前記サービス提供画面から代理口座の開設要求を入力することによって送信される代理口座開設要求データを受信するステップと、
前記サービス提供装置が、受信した前記代理口座開設要求データを前記端末のユーザの前記ＩＤと共に前記代理口座管理装置へ送信するステップと、
前記代理口座管理装置が、前記代理口座の開設要求を、通信回線を介して接続された前記端末のユーザが指定する前記ＩＤと共に前記サービス提供装置から受け付けるステップと、
前記代理口座管理装置が、受け付けられた前記代理口座の開設要求に応じて、前記代理口座を開設するステップと、
前記代理口座管理装置が、開設された前記代理口座を、前記ユーザの前記ＩＤと関連付けて記憶するステップと、
前記代理口座管理装置が、前記ユーザの前記ＩＤに関連付けられた前記代理口座への処理要求を受け付けるステップと、
前記代理口座管理装置が、前記処理要求を受け付けたことに応じて、前記代理口座への処理を行うステップと、
前記代理口座管理装置が、前記代理口座への処理の内容を記憶するステップと、
を含む代理口座を用いた決済方法。
【発明の詳細な説明】
【技術分野】
【０００１】
本発明は、主として決済処理に用いる代理口座管理装置、代理口座を用いた決済方法及びプログラムに関する。
【背景技術】
【０００２】
従来、銀行システムにおいて、支払人と関連付けられた複数の仮想の振込専用口座を用いて、複数の仮想の振込専用口座に振り込まれた資金を、複数の仮想の振込専用口座をとりまとめる特定口座に入金することにより、支払人を特定する仮想口座を用いた振込処理システムが開示されている（例えば、特許文献１）。
【特許文献１】特開２０００−８２１０１号公報
【発明の開示】
【発明が解決しようとする課題】
【０００３】
特許文献１に記載のシステムは、支払人に振込を行わせる際に、仮想の振込専用口座を用いるものである。そして、仮想の振込専用口座は、その振込のために専用に用いる口座である。よって、複数の仮想の振込専用口座は、振込のトランザクション単位で、かつ支払人単位に準備しなければならないため、多くの口座が必要となる。つまり、振込専用口座が特定口座と関連付けられるため、振込先が異なる場合には、支払人は各々異なる口座を使用しなければならない。また、振込専用口座であるため、資金の付け替えには、振込専用口座から特定口座への読み替え処理が必要であり、処理が煩雑である。
【０００４】
本発明は、ユーザが指定するＩＤと関連付けることで、振込先が異なる場合においても同一の口座を使用でき、金融機関に開設済の口座に対する振込処理等に直接使用できる代理口座を開設する代理口座管理装置、代理口座を用いた決済方法及びプログラムを提供することを目的とする。
【課題を解決するための手段】
【０００５】
本発明では、以下のような解決手段を提供する。
【０００６】
（１）  金融機関に開設済の口座に入金するまでの間一時的に資金を蓄える代理口座の開設要求を、通信回線（例えば、通信ネットワーク５０）を介して接続された端末（例えば、端末２０）のユーザが指定するＩＤと共に前記端末から受け付ける代理口座開設要求受付部（例えば、代理口座開設要求受付部１２１）と、
前記代理口座開設要求受付部により受け付けられた前記代理口座の開設要求に応じて、前記代理口座を開設する代理口座開設部（例えば、代理口座開設部１２２）と、
前記代理口座開設部により開設された前記代理口座を、前記ユーザの前記ＩＤと関連付けて記憶する代理口座データベース（例えば、代理口座ＤＢ１４）と、
前記ユーザの前記ＩＤに関連付けられた前記代理口座への処理要求を受け付ける代理口座処理要求受付部（例えば、代理口座処理要求受付部１２３）と、
前記代理口座処理要求受付部から前記処理要求を受け付けたことに応じて、前記代理口座への処理を行う代理口座処理部（例えば、代理口座処理部１２４）と、
を備え、
前記代理口座データベースは、前記代理口座処理部により行われた処理の内容を記憶することを特徴とする代理口座管理装置（例えば、代理口座管理装置１０）。
【０００７】
このような構成によれば、代理口座管理装置は、金融機関に開設済の口座に入金するまでの間一時的に資金を蓄える代理口座の開設要求を、通信回線を介して接続された端末のユーザが指定するＩＤと共に端末から受け付け、受け付けられた代理口座の開設要求に応じて、代理口座を開設し、開設された代理口座を、ユーザのＩＤと関連付けて代理口座管理装置の代理口座データベースに記憶し、ユーザのＩＤに関連付けられた代理口座への処理要求を受け付けたことに応じて、代理口座への処理を行い、代理口座データベースは処理の内容を記憶する。
【０００８】
このことにより、当該装置は、ユーザが指定するＩＤと関連付けられた代理口座を開設する。ＩＤは、ユーザが指定でき、そのユーザを一意に表すものでよく、例えば、任意の英数字の文字列である。よって、ユーザが自分で覚えやすいニックネーム等を用いたＩＤを使用できる。また、代理口座は、最終的にある金融機関に開設済の口座に入金するまでの間において一時的に資金を蓄えるものであり、例えば、Ａ銀行の口座へ振込処理をするために、当該装置を運用するＢ銀行がユーザの代理として用意した、一時的なプール口座である。ユーザのために資金を預かるものである性質上、代理口座は、装置を運用する銀行のものであるため、通常の口座開設において必要な、口座開設のための本人確認書類等を必要としない。よって、端末からのマウスクリック等の簡便な操作のみで、ユーザが指定したＩＤと関連付けられた代理口座を簡単に開設することができる。
【０００９】
また、代理口座は、他行等の金融機関との振込処理等に用いられるものであるため、例えば、内国為替の処理データを送受信する全銀ネットワークを用いた金融機関の振込処理に、この代理口座を直接使用することができる。よって、他行との処理において、口座番号の読み替え等の煩雑な処理を必要とせず、装置の処理負荷を軽減することができる。さらに、代理口座は、ワンタイム口座等とは異なり、ＩＤと関連付けられたユーザにより汎用的に使用可能な口座であるため、半永久的に使用できる。
【００１０】
さらに、当該装置は、例えば、他のユーザからの代理口座への処理を行うことができる。他のユーザからの代理口座への処理とは、具体的には、例えば、他行から代理口座への現金振込処理や、他行の口座を用いた代理口座への口座間の振込処理をいう。よって、様々な態様で、代理口座への処理を行うことができる。そして、他のユーザには、代理口座の情報として、例えば、代理口座の口座番号やＩＤを知らせるだけで、該当の代理口座への処理を行うことができるので、代理口座に関連付けられたＩＤを使用するユーザのユーザ名を、他のユーザに知られることがない。よって、氏名等の個人情報の流出を防ぐことができる。また、代理口座データベースに、代理口座に関する処理の内容が関連付けられて記憶されるため、処理後に、代理口座やＩＤから処理の内容を特定することができる。
【００１１】
（２）  前記代理口座開設要求受付部（例えば、代理口座開設要求受付部１２１）は、前記端末（例えば、端末２０）からの前記代理口座の開設要求を、前記端末と前記通信回線（例えば、通信ネットワーク５０）を介して接続された他のサービスを提供するサービス提供装置（例えば、サービス提供装置３０）を経由して、前記サービス提供装置が提供するサービスを受けるために必要な前記ユーザの前記ＩＤと共に受け付けることを特徴とする（１）に記載の代理口座管理装置（例えば、代理口座管理装置１０）。
【００１２】
このような構成によれば、代理口座管理装置は、端末からの代理口座の開設要求を、端末と通信回線を介して接続された他のサービスを提供するサービス提供装置を経由して、サービス提供装置が提供するサービスを受けるために必要なユーザのＩＤと共に受け付ける。
【００１３】
このことにより、当該装置は、サービス提供装置のＩＤをそのまま用いて代理口座を開設することができる。そのため、サービス提供装置で提供するサービスとの連携を容易にすることができる。つまり、サービス提供装置で提供するサービスの中で、代理口座に関する処理を行うことができる。よって、処理を行うにあたってのユーザのオペレーション数を削減でき、ユーザの利便性の向上に貢献する。また、サービス提供装置で使用するＩＤを使用できるので、ユーザにとって、複数のＩＤを管理せずに済むため、ＩＤ管理が煩雑になるのを防ぐことができる。
【００１４】
（３）  前記代理口座処理要求受付部（例えば、代理口座処理要求受付部１２３）は、他のユーザによる、金融機関の現金自動預払機その他の処理の入力を受け付ける装置（例えば、ＡＴＭ４２）によって入力された前記処理要求を受け付けることを特徴とする（１）又は（２）に記載の代理口座管理装置（例えば、代理口座管理装置１０）。
【００１５】
このような構成によれば、代理口座管理装置は、他のユーザによる、金融機関の現金自動預払機その他の処理の入力を受け付ける装置によって入力された処理要求を受け付ける。
【００１６】
このことにより、当該装置は、例えば、他行のＡＴＭ（現金自動預払機）を用いて直接代理口座への処理を行うことができる。よって、代理口座への処理に、全国津々浦々に点在するＡＴＭを用いることができ、利便性が向上する。なお、その他の処理の入力を受け付ける装置とは、銀行の窓口において行員がオペレーションを行う端末や、他のユーザがネットバンキングサービス等のサービスを利用するために直接操作するパーソナルコンピュータ等を用いた、他行の口座に関する処理を行うことができる装置をいう。
【００１７】
（４）  前記代理口座処理要求受付部（例えば、代理口座処理要求受付部１２３）は、前記ユーザの前記ＩＤと関連付けられた前記代理口座から他の口座への処理要求を受け付け、
前記代理口座処理部（例えば、代理口座処理部１２４）は、前記代理口座処理要求受付部から前記処理要求を受け付けたことに応じて、前記代理口座から前記他の口座への処理を行うこと、
を特徴とする（１）から（３）のいずれかに記載の代理口座管理装置（例えば、代理口座管理装置１０）。
【００１８】
（５）  前記他の口座が、他のユーザのＩＤに関連付けられた代理口座であることを特徴とする（４）記載の代理口座管理装置（例えば、代理口座管理装置１０）。
【００１９】
（６）  前記他の口座が、前記ユーザ又は他のユーザの有する前記金融機関に開設済の口座であることを特徴とする（４）記載の代理口座管理装置（例えば、代理口座管理装置１０）。
【００２０】
このような構成によれば、代理口座管理装置は、ユーザのＩＤと関連付けられた代理口座から他の口座への処理要求を受け付け、処理要求を受け付けたことに応じて、代理口座から他の口座への処理を行う。ここで、他の口座は、他のユーザのＩＤに関連付けられた代理口座であってもよいし、ユーザ又は他のユーザの有する金融機関に開設済の口座であってもよい。
【００２１】
このことにより、当該装置は、代理口座を用いて、代理口座から他の口座への処理を行うことができる。そのため、他の口座に関連する様々な処理に、代理口座を用いることができるので、代理口座を用いることによる、決済処理に関するユーザの利便性の向上に役立つ。
【００２２】
（７）  前記処理が、振込処理又は振替処理であることを特徴とする（１）から（６）のいずれかに記載の代理口座管理装置（例えば、代理口座管理装置１０）。
【００２３】
このような構成によれば、代理口座管理装置により行われる処理が、振込処理又は振替処理であることを特徴とする。このことにより、当該装置は、代理口座を用いて振込処理や振替処理を行うことができる。ここで、振替処理とは、当該装置の中で完結する、支払人の代理口座から資金を引き落として、受取人の代理口座に入金する処理をいう。また、振込処理とは、他行における支払人の保有する口座から資金を引き落として、当該装置の受取人の代理口座へ入金する処理、又は、支払人が他行に現金を持ち込んで、当該装置の受取人の代理口座へ入金する処理、若しくは、支払人の当該装置の代理口座から資金を引き落として、他行における受取人の保有する口座へ入金する処理をいう。
【００２４】
（８）  前記代理口座データベース（例えば、代理口座ＤＢ１４）は、前記ユーザの有する前記金融機関に開設済の口座を前記ユーザの前記ＩＤと関連付けて記憶し、
前記代理口座処理部（例えば、代理口座処理部１２４）は、所定の条件（例えば、タイミング、残高金額、振込フラグ等）により、前記ユーザの前記ＩＤと関連付けられた前記代理口座から、前記代理口座データベースに記憶された前記金融機関に開設済の口座へ振込処理を行うこと、
を特徴とする（１）から（７）のいずれかに記載の代理口座管理装置（例えば、代理口座管理装置１０）。
【００２５】
このような構成によれば、代理口座管理装置の代理口座データベースは、ユーザの有する金融機関に開設済の口座をＩＤと関連付けて記憶し、代理口座管理装置は、所定の条件により、ユーザのＩＤと関連付けられた代理口座から、代理口座データベースに記憶された金融機関に開設済の口座へ振込処理を行う。
【００２６】
このことにより、当該装置は、所定の条件を満たす場合に、代理口座の資金を引き落として、金融機関に開設済の口座に入金することができる。よって、ユーザがオペレーションを行わずに、例えば、代理口座にある資金を一定金額としつつ、残りの資金を金融機関に開設済の口座に移すことができる。自動的に資金を移動するので、ユーザの利便性の向上に役立つ。なお、所定の条件とは、当該処理を行う日時等の処理タイミングや、当該処理を行う金額等の内容面の条件をいい、例えば、毎月１０日の夜間に、資金移動をしたいユーザの資金が一定金額以上ある場合をいう。
【００２７】
（９）  前記ユーザの前記ＩＤに関連付けられた前記代理口座に関する処理が行われたことに応じて、処理結果の通知を前記ユーザの端末（例えば、端末２０）に送信する処理結果通知部（例えば、処理結果通知部１２５）を備えることを特徴とする（１）から（８）のいずれかに記載の代理口座管理装置（例えば、代理口座管理装置１０）。
【００２８】
このような構成によれば、代理口座管理装置は、ユーザのＩＤに関連付けられた代理口座に関する処理が行われたことに応じて、処理結果の通知をユーザの端末に送信する。
【００２９】
このことにより、当該装置は、代理口座に関する処理の結果を代理口座に関連付けられたＩＤにより、当該ＩＤを使用のユーザの端末に送信することができる。ユーザへの通知方法は、例えば、電子メールの配信やＷｅｂブラウザを用いたＷｅｂページのユーザの参照による。よって、ユーザは、代理口座に関する処理が行われたことと、その内容とを、知りたい時に簡単に知ることができる。
【００３０】
（１０）  金融機関に開設済の口座に入金するまでの間一時的に資金を蓄える代理口座の開設要求を、通信回線（例えば、通信ネットワーク５０）を介して接続された端末（例えば、端末２０）のユーザが指定するＩＤと共に前記端末から受け付けるステップと、
受け付けられた前記代理口座の開設要求に応じて、前記代理口座を開設するステップと、
開設された前記代理口座を、前記ユーザの前記ＩＤと関連付けて記憶するステップと、
前記ユーザの前記ＩＤに関連付けられた前記代理口座への処理要求を受け付けるステップと、
前記処理要求を受け付けたことに応じて、前記代理口座への処理を行うステップと、
前記代理口座への処理の内容を記憶するステップと、
を含む代理口座を用いた決済方法。
【００３１】
このような構成によれば、当該方法を用いることにより、（１）と同様の効果が期待できる。
【００３２】
（１１）  端末（例えば、端末２０）と通信回線（例えば、通信ネットワーク５０）を介して接続されたコンピュータに、
金融機関に開設済の口座に入金するまでの間一時的に資金を蓄える代理口座の開設要求を、前記端末のユーザが指定するＩＤと共に前記端末から受け付けるステップと、
受け付けられた前記代理口座の開設要求に応じて、前記代理口座を開設するステップと、
開設された前記代理口座を、前記ユーザの前記ＩＤと関連付けて記憶するステップと、
前記ユーザの前記ＩＤに関連付けられた前記代理口座への処理要求を受け付けるステップと、
前記処理要求を受け付けたことに応じて、前記代理口座への処理を行うステップと、
前記代理口座への処理の内容を記憶するステップと、
を実行させるためのプログラム。
【００３３】
このような構成によれば、当該プログラムをコンピュータ上で実行することにより、（１）と同様の効果が期待できる。
【発明の効果】
【００３４】
本発明によれば、ユーザが指定するＩＤと関連付けることで、振込先が異なる場合においても同一の口座を使用でき、金融機関に開設済の口座に対する振込処理等に直接使用できる代理口座を開設する代理口座管理装置、代理口座を用いた決済方法及びプログラムを提供することができる。
【発明を実施するための最良の形態】
【００３５】
以下、本発明の実施形態について図を参照しながら説明する。
【００３６】
（第１実施形態）
［システムの全体構成］
図１は、第１実施形態の一例に係る代理口座決済処理システム１（以降、システム１ともいう）の全体構成を示す図である。
【００３７】
第１実施形態におけるシステム１は、通信ネットワーク５０を介して、代理口座管理装置１０と、端末２０と、サービス提供装置３０と、他行装置４０とが相互に通信可能に接続されている。また、代理口座管理装置１０と、他行装置４０とは、全銀ネットワーク６０を介して通信可能に接続されている。システム１は、代理口座管理装置１０を用いた決済処理を行う。
【００３８】
代理口座管理装置１０は、代理口座を用いた振込処理及び振替処理を行う装置であり、制御部１２及び代理口座ＤＢ（データベース）１４を備える。代理口座とは、代理口座管理装置１０にて開設される口座であり、最終的にある金融機関に開設済の口座に入金するまでの間、一時的に資金を蓄える口座をいう。この代理口座は、顧客の口座の代理的機能を実現するための意味で、代理口座と記載したものであり、実際の銀行内部での扱いに関しては、銀行法の「口座」に限定されるものではない。また、振替処理とは、代理口座管理装置１０の中で完結する、支払人の代理口座から資金を引き落として、受取人の代理口座に入金する処理をいう。また、振込処理とは、代理口座管理装置１０外における支払人の保有する口座から資金を引き落として、代理口座管理装置１０の受取人の代理口座へ入金する処理、又は、支払人が代理口座管理装置１０外の銀行等に現金を持ち込んで、代理口座管理装置１０の受取人の代理口座へ入金する処理、若しくは、支払人の代理口座管理装置１０の代理口座から資金を引き落として、代理口座管理装置１０外の銀行等における受取人の保有する口座へ入金する処理をいう。
【００３９】
制御部１２は、さらに代理口座開設要求受付部１２１、代理口座開設部１２２、代理口座処理要求受付部１２３、代理口座処理部１２４、及び処理結果通知部１２５を有する。これらの各機能は、後述のフローチャートで説明する。
【００４０】
端末２０は、パーソナルコンピュータ（ＰＣ）２０ａや、携帯電話機２０ｂ等の通信端末である。端末２０は、通信ネットワーク５０と接続可能であれば、その他、ＰＤＡ（Ｐｅｒｓｏｎａｌ  Ｄｉｇｉｔａｌ  Ａｓｓｉｓｔａｎｔ）等の通信端末であってもよい。
【００４１】
サービス提供装置３０は、端末２０に対して各種サービスを提供する装置であり、例えば、検索やメール、ブログ等のサービスをユーザに提供する。サービス提供装置３０により行われるサービスは、一意にユーザを表すＩＤを予めユーザが登録することにより受けることができる。ＩＤは、例えば、ユーザが自分で覚えやすいニックネーム等、ユーザが登録時に任意に定めた英数字の文字列であり、ＩＤ管理ＤＢ３４により管理される。
【００４２】
他行装置４０は、例えば、金融機関において勘定処理を行う装置であり、ユーザが振込処理等を行うために操作するＡＴＭ４２を有する。勘定処理とは、銀行の預金や為替に関する処理を指し、他行（金融機関）の口座に関する振込処理等をも含む。
【００４３】
通信ネットワーク５０は、例えば、インターネット回線である。また、全銀ネットワーク６０は、振込処理等の内国為替業務に関して用いられる回線であり、全国の各銀行間を接続する。
【００４４】
［代理口座管理装置１０のハードウェア構成］
次に、図２を参照して、図１に示す代理口座管理装置１０のハードウェア構成の一例について説明する。代理口座管理装置１０は、制御部１２を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ１０１２等、複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、ＵＳＢポート１０９０、Ｉ／Ｏコントローラ１０７０、並びにキーボード及びマウス１１００等の入力手段や表示装置１０２２を備える。
【００４５】
Ｉ／Ｏコントローラ１０７０には、テープドライブ１０７２、ハードディスク１０７４、光ディスクドライブ１０７６、半導体メモリ１０７８、等の記憶手段を接続することができる。ＢＩＯＳ１０６０は、代理口座管理装置１０の起動時にＣＰＵ１０１０が実行するブートプログラムや、代理口座管理装置１０のハードウェアに依存するプログラム等を格納する。
【００４６】
ハードディスク１０７４は、代理口座管理装置１０が装置として機能するための各種プログラム及び本発明の機能を実行するプログラムを記憶しており、さらに必要に応じて各種データベースを構成可能である。代理口座ＤＢ１４は、例えば、ハードディスク１０７４に記憶される。
【００４７】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。
【００４８】
光ディスク１０７７から光ディスクドライブ１０７６によりプログラム又はデータを読み取り、Ｉ／Ｏコントローラ１０７０を介してメインメモリ１０５０又はハードディスク１０７４に提供することもできる。また、同様にテープドライブ１０７２に対応したテープメディア１０７１を主としてバックアップのために使用することもできる。
【００４９】
代理口座管理装置１０に提供されるプログラムは、ハードディスク１０７４、光ディスク１０７７、又はメモリーカード等の記録媒体に格納されて提供される。このプログラムは、Ｉ／Ｏコントローラ１０７０を介して、記録媒体から読み出され、又は通信Ｉ／Ｆ１０４０を介してダウンロードされることによって、代理口座管理装置１０にインストールされ実行されてもよい。
【００５０】
上述のプログラムは、内部又は外部の記憶媒体に格納されてもよい。ここで、記憶媒体としては、ハードディスク１０７４、光ディスク１０７７、又はメモリーカードの他に、ＭＤ等の光磁気記録媒体、テープ媒体を用いることができる。また、専用通信回線やインターネットに接続されたサーバシステムに設けたハードディスク１０７４又は光ディスクライブラリー等の記憶装置を記録媒体として使用し、通信回線を介してプログラムを代理口座管理装置１０に提供してもよい。
【００５１】
ここで、表示装置１０２２は、ユーザにデータの入力を受け付ける画面を表示したり、代理口座管理装置１０による演算処理結果の画面を表示したりするものであり、ブラウン管表示装置（ＣＲＴ）、液晶表示装置（ＬＣＤ）等のディスプレイ装置を含む。
【００５２】
ここで、入力手段は、ユーザによる入力を受け付けるものであり、キーボード及びマウス１１００等により構成してよい。また、通信Ｉ／Ｆ１０４０は、代理口座管理装置１０を専用ネットワーク又は公共ネットワークを介して端末と接続できるようにするためのネットワーク・アダプタである。通信Ｉ／Ｆ１０４０は、モデム、ケーブル・モデム及びイーサネット（登録商標）・アダプタを含んでよい。
【００５３】
以上の例は、代理口座管理装置１０のハードウェア構成について主に説明したが、コンピュータに、プログラムをインストールして、そのコンピュータを代理口座管理装置１０として動作させることにより、上記で説明した機能を実現することもできる。したがって、本発明において一実施形態として説明した代理口座管理装置１０により実現される機能は、上述の方法を当該コンピュータにより実行することにより、或いは、上述のプログラムを当該コンピュータに導入して実行することによっても実現可能である。
【００５４】
［代理口座開設処理フロー］
次に、あるユーザが、端末２０からサービス提供装置３０のサービスを利用することで、代理口座管理装置１０が、代理口座を開設する際の処理の流れについて説明する。図３は、第１実施形態の一例に係る代理口座開設処理のフローチャートである。図４は、第１実施形態の一例に係る端末２０が表示する画面例を示す図である。図５は、第１実施形態の一例に係る代理口座ＤＢ１４の代理口座テーブル１４Ａの例を示す図である。
【００５５】
まず、ステップＳ１０２において、端末２０を操作するユーザは、端末２０を操作して、サービス提供装置３０が提供するサービスを使用するためにログイン情報を入力する。端末２０の制御部は、ログイン情報であるＩＤ及びパスワードを、サービス提供装置３０に送信する。
【００５６】
ＩＤ及びパスワードを受信したサービス提供装置３０の制御部は、ステップＳ１０４において、認証処理を行い、認証後、ステップＳ１０６において、サービス提供画面を端末２０に送信する。
【００５７】
端末２０の制御部は、サービス提供装置３０からサービス提供画面データを受信し、ステップＳ１０８において、サービス提供画面を表示する。次に、ステップＳ１１０では、端末２０のユーザは、サービス提供画面から代理口座の開設要求を入力する。その後、端末２０の制御部は、代理口座開設要求データをサービス提供装置３０に送信する。
【００５８】
ここで、図４（ａ）は、端末２０のディスプレイ２１に表示されたサービス提供画面の例を示す。ディスプレイ２１には、ユーザのＩＤであるユーザＩＤ２３が「ｄ＿ｔａｒｏ」のユーザによりサービスに「ログイン中」であることが、ログインステータス２２により示されている。また、「代理口座を開設する」と書かれたリンク２４が表示されている。ユーザは、例えば、端末２０に接続されたマウスを操作して、ポインタ２５をリンク２４の上に移動させ、マウスをクリックすることで、代理口座管理装置１０により代理口座の開設処理が行われる。
【００５９】
図３に戻って、代理口座開設要求データを受信したサービス提供装置３０の制御部は、ステップＳ１１２において、ログイン中のユーザのＩＤと共に代理口座開設要求データを代理口座管理装置１０に送信する。
【００６０】
代理口座管理装置１０の代理口座開設要求受付部１２１は、ＩＤと共に代理口座開設要求データを受け付けると（ステップＳ１１４）、ステップＳ１１６では、代理口座開設部１２２は、代理口座の口座番号を新たに採番して代理口座を開設する。そして、ステップＳ１１８において、制御部１２は、ＩＤと代理口座番号とを関連付けて代理口座ＤＢ１４（図５の代理口座テーブル１４Ａ）に記憶する。また、ステップＳ１２０において、処理結果通知部１２５は、代理口座開設完了通知データをサービス提供装置３０に送信する。
【００６１】
ここで、図５を参照して、代理口座ＤＢ１４に格納される代理口座テーブル１４Ａについて説明する。代理口座テーブル１４Ａは、代理口座を管理するテーブルで、ユーザのＩＤであるＵＩＤ１４ａ、代理口座番号１４ｂ、生成日時１４ｃ等からなる。そして、代理口座の開設時に、ＵＩＤ１４ａをキー項目としてレコードを追加する。例えば、図５の代理口座テーブル１４Ａの最上段（図中（Ａ））には、ＵＩＤ１４ａが「３３４５」のユーザの代理口座の情報が記憶されており、代理口座番号１４ｂが「１１０−１１１１１１１」で、生成日時１４ｃが「２００７／０５／０８  １２：３０」であることが分かる。上述の図４（ａ）で、ユーザＩＤ２３が「ｄ＿ｔａｒｏ」のユーザが開設した代理口座の情報が、図５の図中（Ｂ）に示されている。
【００６２】
図３に戻って、サービス提供装置３０の制御部は、代理口座管理装置１０から代理口座開設完了通知データを受信すると、そのデータを端末２０に送信する（ステップＳ１２２）。そして、端末２０の制御部は、サービス提供装置３０から代理口座開設完了通知データを受信すると、代理口座開設完了通知を画面に表示する（ステップＳ１２４）。
【００６３】
ここで、図４（ｂ）は、端末２０のディスプレイ２１に表示された代理口座が開設された際の画面の例を示す。端末２０のディスプレイ２１には、ログインステータス２２及びユーザＩＤ２３の他に、ディスプレイの中央付近に代理口座が開設された旨を知らせる完了報告２６と、代理口座の口座番号情報２７とが表示されている。この画面を見て、ユーザは、代理口座が正常に開設されたことと、その口座番号とを認識できる。
【００６４】
このことにより、代理口座管理装置１０は、サービス提供装置３０のユーザＩＤと関連付けられた代理口座を開設することができるため、サービス提供装置３０のＩＤをそのまま使用できる。また、代理口座は、端末２０からマウスをクリックする等の簡便な操作のみで、簡単に開設できる。例えば、サービス提供装置３０が提供するオークションを始めたい場合に、オークションへの出品と共に、代理口座を開設することで、決済処理に使用することができる。しかも、それらの処理を一連に行うことができる。さらに、代理口座は、ＩＤと関連付けられたユーザにより繰り返し利用できる汎用的なものであり、取引後に閉鎖されない、半永久的に使用できるものであるため、ユーザの利便性が向上する。
【００６５】
［代理口座への振込処理フロー］
次に、代理口座管理装置１０により開設された代理口座への振込処理の流れについて説明する。図６は、第１実施形態の一例に係る代理口座への振込処理のフローチャートである。図７は、第１実施形態の一例に係る代理口座ＤＢ１４のログテーブル１４Ｂの例を示す図である。
【００６６】
まず、ステップＳ２０２において、支払人のＡさんが、他行装置４０において振込を行うことで、他行装置４０の制御部が振込処理を受け付ける。これは、受取人をＢさんとした、代理口座管理装置１０がＢさんのＩＤと関連付けて開設した代理口座に対する振込である。次に、ステップＳ２０４において、他行装置４０の制御部は、振込処理要求データを代理口座管理装置１０に送信する。その際、振込処理要求データには、振込依頼人名としてＡさんの名前が、また、振込先の口座番号である代理口座番号、振込を表す種別、及び振込金額の各情報が含まれており、代理口座管理装置１０に送信される。ここで、他行装置４０と代理口座管理装置１０とのデータの送受信は、全銀ネットワーク６０（図１参照）を介して行われる。
【００６７】
次に、ステップＳ２０６において、代理口座管理装置１０の代理口座処理要求受付部１２３は、振込処理要求データを受信すると、ステップＳ２０８では、代理口座処理部１２４は、Ｂさんの代理口座への入金処理を行う。そして、ステップＳ２１０において、代理口座処理部１２４は、ＢさんのＩＤであるＢ００１と関連付けて処理内容を代理口座ＤＢ１４に記憶する。
【００６８】
ここで、図７を参照して、代理口座ＤＢ１４に格納されるログテーブル１４Ｂについて説明する。ログテーブル１４Ｂは、処理内容を記憶するテーブルであり、ユーザのＩＤを示すＵＩＤ１４ｘをキーとして、処理内容１４ｙに処理の内容を順次記憶する。処理の内容として、処理発生時間、振込処理や振替処理等の処理の種別、処理金額等が記憶される。処理が行われるごとに、ＵＩＤ１４ｘの該当のユーザＩＤのレコードの処理内容１４ｙに、処理の内容が追加される。例えば、図７のログテーブル１４Ｂの最上段（図中（Ａ））には、ＵＩＤ１４ｘが「３３４５」のユーザの代理口座に関する処理の内容が、処理内容１４ｙに記憶されており、処理内容１は、「２００７／０５／０８  １３：１０」に「ＡＴＭより振込」があり、その金額が「１，９８０円」であったことを示す。上述の図６のフローチャートで説明の例の場合には、ＵＩＤ１４ｘが「Ｂ００１」の処理内容１４ｙに、上述の振込処理の内容が追加される。
【００６９】
図６に戻って、代理口座管理装置１０の制御部１２は、ステップＳ２１２において、振込処理完了報告データを他行装置４０に送信することにより、ステップＳ２１４では、他行装置４０の制御部は、振込処理完了報告データを受信する。振込処理完了報告データにより、他行装置４０の制御部は、先のステップＳ２０４で送信した振込処理要求が正常に行われたことを判断する。
【００７０】
また、ステップＳ２１６では、代理口座管理装置１０の処理結果通知部１２５は、入金処理結果通知データを端末２０に送信する。入金処理結果通知データは、Ａさんからの振込による入金があった旨のデータである。ステップＳ２１８では、端末２０の制御部は、入金処理結果通知データを受信し、ステップＳ２２０では、端末２０の制御部は、入金処理結果を表示することで、Ｂさんは、処理結果を見ることができる。
【００７１】
なお、入金処理結果通知は、ＢさんがＩＤを用いてログインすることにより端末２０に送信するものでもよいし、電子メール等により端末２０に送信してもよい。この場合、振込依頼人のＡさんは、代理口座管理装置１０の代理口座ではなく、他行（金融機関）の口座を用いているため、入金処理結果としてＢさんの端末２０に表示される振込依頼人名には、Ａさんの名前が表示される。
【００７２】
このようにして、代理口座への振込処理を行うことができる。その際、代理口座に関連付けられたＩＤのユーザであるＢさんの名前を、振込人であるＡさんが知ることなく、振込処理を行うことができるので、個人情報の流出を防ぐことができ、セキュリティの向上に役立つ。
【００７３】
［代理口座への振替処理フロー］
次に、代理口座管理装置１０により開設された代理口座への振替処理の流れについて説明する。図８は、第１実施形態の一例に係る代理口座への振替処理のフローチャートである。
【００７４】
まず、ステップＳ３０２において、代理口座管理装置１０の代理口座を有するＣさんが、端末２０を用いて振替を行うことで、Ｃさんの端末２０の制御部が、振替処理を受け付ける。この振替は、代理口座管理装置１０でＣさんが開設した代理口座から、Ｂさんが開設した代理口座に対する振替である。次に、ステップＳ３０４において、端末２０の制御部は、振替処理要求データを代理口座管理装置１０に送信する。振替処理要求データには、振込依頼人名としてＣさんのＩＤを、また、振込先の口座番号である代理口座番号、振替を表す種別、及び振替金額の各情報を含んでおり、代理口座管理装置１０に送信される。
【００７５】
次に、ステップＳ３０６において、代理口座管理装置１０の代理口座処理要求受付部１２３が振替処理要求データを受信すると、ステップＳ３０８では、代理口座処理部１２４は、ユーザＣさんのＩＤ（Ｃ００１）と関連付けられた代理口座から出金処理を行う。そして、ステップＳ３１０において、代理口座処理部１２４は、ＣさんのＩＤ（Ｃ００１）と関連付けて処理内容を代理口座ＤＢ１４に記憶する。次に、ステップＳ３１２では、代理口座処理部１２４は、ユーザＢさんのＩＤ（Ｂ００１）と関連付けられた代理口座への入金処理を行う。そして、ステップＳ３１４において、代理口座処理部１２４は、ＢさんのＩＤ（Ｂ００１）と関連付けて処理内容を代理口座ＤＢ１４に記憶する。具体的には、上述の図７に示すログテーブル１４ＢのＵＩＤ１４ｘが「Ｃ００１」のレコードに振替による出金の処理内容が、また、ＵＩＤ１４ｘが「Ｂ００１」のレコードに振替による入金の処理内容が、それぞれ追加される。
【００７６】
次に、ステップＳ３１６において、代理口座管理装置１０の制御部１２は、振替処理完了報告データをＣさんの端末２０に送信することにより、ステップＳ３１８では、Ｃさんの端末２０の制御部は、振替処理完了報告データを受信する。
【００７７】
また、ステップＳ３２０では、代理口座管理装置１０の処理結果通知部１２５は、入金処理結果通知データをＢさんの端末２０に送信する。入金処理結果通知データは、ＣさんのＩＤ（Ｃ００１）からの振替による入金があった旨のデータである。ステップＳ３２２では、Ｂさんの端末２０の制御部は、入金処理結果通知データを受信し、ステップＳ３２４では、Ｂさんの端末２０の制御部は、入金処理結果を表示させることで、Ｂさんは、処理結果を見ることができる。
【００７８】
この場合、振込依頼人のＣさんは、代理口座管理装置１０の代理口座を用いているため、入金処理結果として表示される振込依頼人名には、Ｃさんの氏名ではなく、ＩＤ（Ｃ００１）が表示される。よって、振替処理の依頼人名を振替先であるＢさんに知られずに、振替処理を行うことができる。
【００７９】
（第２実施形態）
次に、本発明を適用した代理口座決済処理システム１の第２実施形態について説明する。なお、以下の説明及び図面において、上述した第１実施形態と同様の機能を果たす部分には、同一の符号又は末尾に同一の符号を付して、重複する説明を適宜省略する。
【００８０】
［代理口座からの自動振込処理フロー］
代理口座管理装置１０により開設された代理口座からの自動振込処理の流れについて説明する。これは、所定の条件に合致した場合に、代理口座から予め定められた振込先の口座へ振込を行うものである。ここでは、毎月月末に夜間バッチ処理として行われるものとして説明する。図９は、第２実施形態の一例に係る代理口座管理装置１０による代理口座からの自動振込処理のフローチャートである。図１０は、第２実施形態の一例に係る代理口座ＤＢ１４の各テーブルの例を示す図である。
【００８１】
まず、ステップＳ４０２において、制御部１２は、代理口座テーブル１１４Ａ（図１０（ａ））のレコードを１つ読み出す。図１０（ａ）の例では、ＵＩＤ１１４ａが「３３４５」のレコードが読み出される。
【００８２】
ここで、図１０（ａ）を参照して、代理口座ＤＢ１４に格納される代理口座テーブル１１４Ａについて説明する。代理口座テーブル１１４Ａは、ユーザのＩＤであるＵＩＤ１１４ａ、代理口座番号１１４ｂ、生成日時１１４ｃ、残高金額１１４ｄ、振込フラグ１１４ｅ、振込先口座番号１１４ｆ等からなるテーブルで、代理口座の開設時にレコードが追加される。ここで、残高金額１１４ｄは、該当の代理口座の最新の残高金額が格納される。また、振込フラグ１１４ｅは、自動振込処理を行うか否かを示すものであり、「１」が振込可を、「０」が振込否を表す。振込先口座番号１１４ｆは、自動振込処理の際の振込先の口座番号を表す。
【００８３】
次に、ステップＳ４０４では、制御部１２は、読み出すレコードが存在するか否かを判断する。代理口座テーブル１１４Ａに、読み出すレコードが存在する場合（ステップＳ４０４：Ｙ）には、制御部１２は、処理をステップＳ４０６に移す。他方、代理口座テーブル１１４Ａを全て読み出した場合（ステップＳ４０４：Ｎ）には、制御部１２は、本処理を終了する。
【００８４】
ステップＳ４０６において、制御部１２は、読み出したレコードの振込フラグ１１４ｅが「１」であるか否かを判断する。振込フラグ１１４ｅが「１」である場合（ステップＳ４０６：Ｙ）には、制御部１２は、処理をステップＳ４０８に移す。他方、振込フラグ１１４ｅが「０」である場合（ステップＳ４０６：Ｎ）には、制御部１２は、処理をステップＳ４０２に移し、次のレコードを読み出す。
【００８５】
次に、ステップＳ４０８では、制御部１２は、読み出したレコードの残高金額１１４ｄが３０００円超か否かを判断する。残高金額１１４ｄが３０００円超の場合（ステップＳ４０８：Ｙ）には、制御部１２は、処理をステップＳ４１０に移す。他方、残高金額１１４ｄが３０００円以下の場合（ステップＳ４０８：Ｎ）には、制御部１２は、処理をステップＳ４０２に移し、次のレコードを読み出す。
【００８６】
次に、ステップＳ４１０では、代理口座処理部１２４は、残高金額が３０００円となるように、超過分の金額を振込先口座番号宛に振込する。具体的には、代理口座処理部１２４は、該当の代理口座から超過分の金額を出金した上で、出金した金額を振込先口座番号１１４ｆの該当の振込先に振込を依頼する。その後、制御部１２は、処理をステップＳ４１２に移す。ステップＳ４１２では、制御部１２は、代理口座ＤＢ１４を更新し、処理をステップＳ４０２に移す。
【００８７】
上述で説明した処理について、具体的に、図１０を用いて説明する。図１０（ａ）の上段の代理口座テーブル１１４Ａで、振込フラグ１１４ｅが「１」で、残高金額１１４ｄが３０００円超のレコードは、ＵＩＤ１１４ａが「ｄ＿ｔａｒｏ」のレコードである。ＵＩＤ１１４ａが「ｄ＿ｔａｒｏ」のレコードについては、図９のステップＳ４１０及びステップＳ４１２の処理が行われ、図１０（ａ）の下段の代理口座テーブル１１４Ａに更新される。ＵＩＤ１１４ａが「ｄ＿ｔａｒｏ」の残高金額１１４ｄが「１０，０００円」から「３，０００円」に更新される（図１０（ａ）中（Ａ）参照）。また、図１０（ｂ）のログテーブル１１４ＢのＵＩＤ１１４ｘが「ｄ＿ｔａｒｏ」のレコードに、本処理（バッチ処理）により振込処理が行われたログが追加される（図１０（ｂ）中（Ｂ）参照）。
【００８８】
よって、ユーザがオペレーションを行うことなく、自動的に、代理口座にある資金を、他の金融機関に開設済の口座に移すことができる。
【００８９】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。なお、上述した実施形態及び後述する変形形態は、適宜組み合わせて用いることもできるが、詳細な説明は省略する。
【００９０】
（変形形態）
以上、説明した実施形態に限定されることなく、種々の変形や変更が可能であって、それらも本発明の範囲内である。
【００９１】
上述の実施形態では、ＩＤを別の装置（サービス提供装置）で管理するものであったが、代理口座管理装置の中でＩＤを管理してもよい。その際は、サービス提供装置を用いてログイン処理をした部分を、代理口座管理装置を用いてログインすればよい。
【００９２】
上述の実施形態では、取引内容をログテーブルに記憶したが、当該ログテーブルに記憶した取引内容に応じて、例えば、月間３０件の入金があった場合に手数料を割引く等の、各種のサービスにログテーブルを用いることができる。
【図面の簡単な説明】
【００９３】
【図１】第１実施形態の一例に係る代理口座決済処理システムの全体構成を示す図である。
【図２】第１実施形態の一例に係る代理口座管理装置のハードウェア構成を示す図である。
【図３】第１実施形態の一例に係る代理口座開設処理のフローチャートである。
【図４】第１実施形態の一例に係る端末が表示する画面例を示す図である。
【図５】第１実施形態の一例に係る代理口座ＤＢの代理口座テーブルの例を示す図である。
【図６】第１実施形態の一例に係る代理口座への振込処理のフローチャートである。
【図７】第１実施形態の一例に係る代理口座ＤＢのログテーブルの例を示す図である。
【図８】第１実施形態の一例に係る代理口座への振替処理のフローチャートである。
【図９】第２実施形態の一例に係る代理口座管理装置による代理口座からの自動振込処理のフローチャートである。
【図１０】第２実施形態の一例に係る代理口座ＤＢの各テーブルの例を示す図である。
【符号の説明】
【００９４】
１  代理口座決済処理システム
１０  代理口座管理装置
１２  制御部
１４  代理口座ＤＢ
１４Ａ，１１４Ａ  代理口座テーブル
１４Ｂ，１１４Ｂ  ログテーブル
２０  端末
３０  サービス提供装置
３４  ＩＤ管理ＤＢ
４０  他行装置
５０  通信ネットワーク
６０  全銀ネットワーク
１２１  代理口座開設要求受付部
１２２  代理口座開設部
１２３  代理口座処理要求受付部
１２４  代理口座処理部
１２５  処理結果通知部
【図１】
0005401028.tif 000002
【図２】
0005401028.tif 000003
【図３】
0005401028.tif 000004
【図４】
0005401028.tif 000005
【図５】
0005401028.tif 000006
【図６】
0005401028.tif 000007
【図７】
0005401028.tif 000008
【図８】
0005401028.tif 000009
【図９】
0005401028.tif 000010
【図１０】
0005401028.tif 000011